(57)【要約】【課題】マッサージ器（１２）は誘導充電式電池（４８）を含み、心地よい発熱性の暖かさを与えながら電池及びコードを扱う必要をなくす。【解決手段】様々な実施形態のシーリング及びスキニング（１３）はマッサージ器（１２）を衛生面で安全にかつ耐水及び耐流体性にする。精巧な制御装置（５０）は、直接取り付けのユーザー制御装置（２０、２２）、遠隔制御装置（３０）など無線通信制御装置及びプロトコルの互換性を持つその他の多数の装置、システム及び媒体に応答する能力をマッサージ器に与える。これとかみ合うベース（１４）は、安定して美的に心地よくかつ安全に、誘導充電のためにマッサージ器（１２）を支持する。【選択図】図１
2015097925.tif 000002
【特許請求の範囲】
【請求項１】
マッサージ装置であって、
マッサージ器ハウジング、
前記マッサージ器ハウジング内部に収納される第一の電気運動源、
前記第一の電気運動源に接続され前記マッサージ器ハウジング内部に収納される充電式電池、および
前記電池に接続され前記マッサージ器ハウジング内に収納される第一のカップラ、
を含むマッサージ器と、
ベースハウジング、
前記ベースハウジング内部に少なくとも部分的に収納される電源コネクタ、および
前記電源コネクタに接続され前記ベースハウジング内部に収納される第二のカップラ
を含むベースと、
を備え、
前記ベースハウジングが、前記第一のカップラが前記第二のカップラとエネルギー結合されるように前記マッサージ器ハウジングを支持するために形成される表面を含み、
それによって、前記ベースを用いて前記マッサージ器の中の前記電池を充電することができる、ことを特徴とするマッサージ装置。
【請求項２】
前記第一のカップラ及び第二のカップラが誘導カップラ及び容量カップラを含むグループから選択されることを特徴とする、請求項１に記載のマッサージ装置。
【請求項３】
さらにマッサージ器ハウジングに被せて成形される可撓性スキンを含む、請求項１に記載のマッサージ装置。
【請求項４】
前記マッサージ装置が前記第一の電気運動源の作動を制御するために前記マッサージ器ハウジングを介して操作可能な少なくとも１つの制御装置を含むことを特徴とする、請求項１に記載のマッサージ装置。
【請求項５】
さらに前記マッサージ器の作動を無線で制御するための遠隔制御装置を含む、請求項１に記載のマッサージ装置。
【請求項６】
前記ベースが少なくとも前記第二のカップラを収容する機械的注封体を含むことを特徴とする、請求項１に記載のマッサージ装置。
【請求項７】
前記第一の運動源がモータ、ソレノイド、圧電装置及び形状記憶合金を含むグループから選択されることを特徴とする、請求項１に記載のマッサージ装置。
【請求項８】
前記充電式電池、前記第一のカップラ及び前記第二のカップラが、前記充電式電池を充電するために前記マッサージ器ハウジングが前記ベースハウジングの上に置かれる時前記マッサージハウジングの表面に触診可能な熱を発生するように配置されることを特徴とする、請求項１に記載のマッサージ装置。
【請求項９】
前記電気運動源が電気モータを含み、かつ前記マッサージ器が、さらに
前記電気モータに接続されるモータ駆動装置と、
前記モータ駆動装置に接続されるマイクロコントローラと、
を含み、
前記マイクロコントローラ及びモータ駆動装置が、パルス波変調制御信号で前記電気モータを制御するために作動する、請求項１に記載のマッサージ装置。
【請求項１０】
前記マッサージ器が、さらに、
前記第一のカップラに接続されるＡＣ／ＤＣコンバータと、
前記ＡＣ／ＤＣコンバータに接続される電池充電器と、
前記電池充電器及び前記充電式電池に接続される電池プロテクタと、
を含むことを特徴とする、請求項１に記載のマッサージ装置。
【請求項１１】
前記マッサージ器が、さらに
各々前記ハウジング内部に収納されかつ前記第一の電気運動源に接続される少なくとも第一及び第二の電子スイッチと、
各々前記マッサージ器ハウジングを介してユーザーによって操作可能な少なくとも第一及び第二のボタンと、
を含み、
前記第一及び第二のボタンが前記第一及び第二の電子スイッチを制御するために操作可能であり、それによって前記第一の電気運動源の作動を制御する、
請求項１に記載のマッサージ装置。
【請求項１２】
前記マッサージ器ハウジングが前記第一及び第二のボタンを被覆する可撓性のスキンを含み、それによって前記可撓性スキンを押すことによって前記第一及び第二のボタンを操作できることを特徴とする、請求項１１に記載のマッサージ装置。
【請求項１３】
マッサージ装置であって、
マッサージ器ハウジングと、
前記マッサージ器ハウジング内部に収納される電源と、
前記電源に接続され前記マッサージ器内部に収納される第一の運動源と、
前記マッサージ器ハウジング内部に収納され前記第一の運動源の作動を制御するために前記第一の運動源に接続されるコントローラと、
前記マッサージ器の作動を制御するためにＺｉｇＢｅｅ（商標）プロトコル信号を受信するために前記電池及び前記コントローラに接続され前記マッサージ器ハウジング部内部に収納される第一の受信器と、
を備えるマッサージ器、
を備えることを特徴とするマッサージ装置。
【請求項１４】
マッサージ器ハウジング、
前記マッサージ器ハウジング内部に収納される電池、
前記電池から電力を受け取るように接続され前記マッサージ器ハウジング内部に収納される第一の運動源、
前記マッサージ器ハウジング内部に収納され前記第一の運動源を作動するために前記第一の運動源に接続されるコントローラ、
前記コントローラに接続され前記第一の運動源の作動を制御するためにユーザーによって操作可能な第一のユーザー制御装置、および
前記バッテリ及び前記コントローラに接続され前記マッサージ器ハウジング内部に収納される第一のトランシーバ、
を備える第一のマッサージ器と、
遠隔制御装置ハウジング、
ＺｉｇＢｅｅ（商標）プロトコル信号を送受信するために前記遠隔制御装置ハウジング内部に収納される第二のトランシーバ、および
前記第一の運動源の作動を制御するために前記第一のトランシーバが受信可能なＺｉｇＢｅｅ（商標）プロトコル信号を生成するために前記遠隔制御装置を操作するために前記第二のトランシーバに接続される第二のユーザー制御装置、
を備える遠隔制御装置と、
を備え、
それによって、前記第一のマッサージ器の作動を制御するために前記第一のユーザー制御装置か第二のユーザー制御装置を使用できる
ことを特徴とするマッサージ装置。
【請求項１５】
さらに、
センサと、
ＺｉｇＢｅｅ（商標）プロトコル信号を送受信するために前記センサに接続される第三のトランシーバと、
を備え、
前記第三のトランシーバが、前記第一のマッサージ器及び前記遠隔制御装置のうち少なくとも一方を含むネットワークにおいて接続され、それによって前記第一のマッサージ器の作動に影響を与える、
請求項１４に記載のマッサージ装置。
【請求項１６】
さらに、
媒体プレーヤと、
ＺｉｇＢｅｅ（商標）プロトコル信号を送受信するために前記媒体プレーヤに接続される第三のトランシーバと、
を備え、
前記第三のトランシーバが前記第一のマッサージ器及び前記遠隔制御装置のうち少なくとも１つにネットワークで接続され、それによって前記第一のマッサージ器の作動に影響を与える、
請求項１４に記載のマッサージ装置。
【請求項１７】
前記媒体プレーヤが媒体ソースをプレイするために作動可能であり、かつ
前記媒体ソースが前記第一のマッサージ器の作動に影響を与えるために前記第三のトランシーバによって送信可能な制御信号を含むことを特徴とする、請求項１６に記載のマッサージ装置。
【請求項１８】
さらに媒体ソースを解釈して制御信号を生成して前記第一のマッサージ器の作動に影響を与えるために前記媒体プレーヤに接続されるコントローラを含む、請求項１６に記載のマッサージ器。
【請求項１９】
前記媒体プレーヤがＭＰ３コード化音声信号を含むソースをプレイするためのＭＰ３プレーヤを含み、前記制御信号が前記ソースと関連付けられることを特徴とする、請求項１８に記載のマッサージ装置。
【請求項２０】
さらに、
少なくとも第二のマッサージ器を備え、
前記第二のマッサージ器がＺｉｇＢｅｅ（商標）プロトコル信号を送受信するための第三のトランシーバを含み、かつ
前記第三のトランシーバが前記第一のマッサージ器及び前記遠隔制御装置のうち少なくとも１つにネットワーク内で接続され、それによって前記第一のマッサージ器の作動に影響を与える、
請求項１４に記載のマッサージ装置。
【請求項２１】
前記第三のトランシーバが前記第一及び第二のトランシーバからＺｉｇＢｅｅ（商標）プロトコル信号を受信しかつ前記第一及び第二のトランシーバの両方へＺｉｇＢｅｅ（商標）プロトコル信号を送信するように作動することを特徴とする、請求項２０に記載のマッサージ装置。
【請求項２２】
前記運動源がモータ、ソレノイド、圧電装置及び形状記憶合金を含むグループから選択されることを特徴とする、請求項１４に記載のマッサージ装置。
【請求項２３】
前記第一及び第二のトランシーバの各々が２．４ＧＨｚでＺｉｇＢｅｅ（商標）プロトコル信号を送受信するために作動可能であることを特徴とする、請求項１４に記載のマッサージ装置。
【請求項２４】
さらに、
前記マッサージ器ハウジングに収納され、前記第一の運動源の作動を制御するために前記第一のユーザー制御装置、前記コントローラ及び前記第一のトランシーバに接続される第一のマイクロコントローラと、
前記遠隔制御装置ハウジングに収納され、前記ユーザー制御装置の操作に応答して前記第二のトランシーバを制御するために前記第二のユーザー制御装置及び前記第二のトランシーバに接続される第二のマイクロコントローラと、
を備える、請求項１４に記載のマッサージ装置。
【請求項２５】
さらに、
前記マッサージ器ハウジングに収納され前記電池及び前記コントローラに接続される第二の運動源を含み、かつ
前記第一のユーザー制御装置が、前記マッサージ器ハウジング内部に収納され前記マッサージ器ハウジング上に配置される少なくとも２つのボタンによって操作可能である少なくとも２つのスイッチを含むことを特徴とする、請求項１４に記載のマッサージ装置。
【請求項２６】
前記第二のユーザー制御装置が、前記遠隔制御ハウジング内部に収納され前記遠隔制御装置ハウジング上に配置される少なくとも３つのボタンによって操作可能である少なくとも５つのスイッチを含むことを特徴とする、請求項２５に記載のマッサージ装置。
【請求項２７】
前記電池が充電式電池であり、
前記第一のマッサージ器がさらに前記マッサージ器ハウジング内部に収納され前記充電式電池に接続される第一の誘導コイルを含み、
前記マッサージ装置がさらに、
第二の誘導コイルを収納するベースを含み、
前記ベースが、前記第一の誘導コイルが前記第二の誘導コイルと作動可能に結合するように前記マッサージ器ハウジングを支持する形状を持ち、それによって前記ベースが前記充電式電池を充電するために使用可能であることを特徴とする、
請求項１４に記載のマッサージ器装置。
【請求項２８】
直接人体と相互作用するための要素と、
前記要素を操作するために接続されるコントローラと、
前記個人用ケア装置と互換性を持つ他の装置と通信しこれと網目状ネットワークを生成するために高周波伝送を用いて作動する前記第一のコントローラに接続される第一の高周波トランシーバと、
を備えることを特徴とする個人用ケア装置。
【請求項２９】
前記第一の高周波トランシーバが直接シーケンススペクトラム拡散トランシーバであることを特徴とする、請求項２８に記載の個人用ケア装置。
【請求項３０】
前記第一の高周波トランシーバがＩＥＥＥ８０２．１５．４規格に準拠することを特徴とする、請求項２９に記載の個人用ケア装置。
【請求項３１】
前記第一の高周波トランシーバがＺｉｇＢｅｅ（商標）スタックを採用することを特徴とする、請求項３０に記載の個人用ケア装置。
【請求項３２】
前記第一の高周波トランシーバが、さらに該個人用ケア装置から他の互換装置へのマルチキャストデータ及び該個人用ケア装置から他の互換装置へのデータの同報通信を含むグループから選択される機能のうち少なくとも１つを果たすために高周波伝送を用いて作動することを特徴とする、請求項２９に記載の個人用ケア装置。
【請求項３３】
さらに、前記第一の高周波トランシーバと通信するために互換性を持つ第二の高周波トランシーバを含む遠隔制御装置を含む、請求項２８に記載の個人用ケア装置。
【請求項３４】
該個人用ケア装置が内部電源を含むマッサージ器である、請求項２８に記載の個人用ケア装置。
【請求項３５】
人体と直接相互作用するための要素と、
前記要素に接続されるコントローラと、
他の互換装置と同報通信するために高周波伝送を用いて作動する前記トランシーバに接続される第一の高周波トランシーバと、
を備えることを特徴とする個人用ケア装置。
【請求項３６】
前記第一の高周波トランシーバが直接シーケンススペクトラム拡散トランシーバであることを特徴とする、請求項３５に記載の個人用ケア装置。
【請求項３７】
前記第一の高周波トランシーバがＩＥＥＥ８０２．１５．４規格に準拠することを特徴とする、請求項３６に記載の個人用ケア装置。
【請求項３８】
前記第一の高周波トランシーバがＺｉｇＢｅｅ（商標）スタックを採用することを特徴とする、請求項３７に記載の個人用ケア装置。
【請求項３９】
前記第一の高周波トランシーバが、さらに前記個人用ケア装置から他の互換装置へのデータをマルチキャストし、かつ前記個人用ケア装置と他の互換装置との間の網目状ネットワークを形成するグループから選択される機能のうち少なくとも１つを果たすために高周波伝送を用いて作動することを特徴とする、請求項３６に記載の個人用ケア装置。
【請求項４０】
さらに前記第一の高周波トランシーバと互換性を持つ第二の高周波トランシーバを含む遠隔制御装置を含む、請求項３５に記載の個人用ケア装置。
【請求項４１】
前記個人用ケア装置が内部電源を含むマッサージ器であることを特徴とする、請求項３５に記載の個人用ケア装置。
【請求項４２】
人体と直接相互作用するための要素と、
前記要素に接続されるコントローラと、
他の互換装置にマルチキャストするために高周波伝送を用いて作動する前記トランシーバに接続される第一の高周波トランシーバと、
を備えることを特徴とする個人用ケア装置。
【請求項４３】
前記第一の高周波トランシーバが直接シーケンス拡散スペクトラムトランシーバであることを特徴とする、請求項４２に記載の個人的ケア装置。
【請求項４４】
前記第一の高周波トランシーバがＩＥＥＥ８０２．１５．４規格に準拠することを特徴とする、請求項４３に記載の個人用ケア装置。
【請求項４５】
前記第一の高周波トランシーバがＺｉｇＢｅｅ（商標）スタックを採用することを特徴とする、請求項４４に記載の個人用ケア装置。
【請求項４６】
前記第一の高周波トランシーバが、さらに、該個人用ケア装置から他の互換装置へのデータの同報通信及び該個人用ケア装置と他の互換装置との間の網目状ネットワークの形成を含むグループから選択される機能のうち少なくとも１つを果たすために高周波伝送を用いて作動することを特徴とする、請求項４３に記載の個人用ケア装置。
【請求項４７】
さらに前記第一の高周波トランシーバと互換性を持つ第二の高周波トランシーバを含む遠隔制御装置を含む、請求項４２に記載の個人用ケア装置。
【請求項４８】
前記個人用ケア装置が内部電源を含むマッサージ器であることを特徴とする、請求項４２に記載の個人用ケア装置。
【発明の詳細な説明】
【技術分野】
【０００１】
本発明は個人用ケア装置に関する。特に、様々な実施形態において、１）誘導充電式電源を持つマッサージ器、２）無線制御可能なマッサージ器及び３）ネットワーク化可能な介護装置、に関する。
【背景技術】
【０００２】
バイブレータ、マッサージ器、振動マッサージ器及びその他の多様な名前でも知られている個人用バイブレータは、技術上周知である。個人用バイブレータは多様な形態を取り、治療から性的刺激まで多様な機能を果たす。個人用バイブレータは一般に電池式であるかまたは従来の交流電流で運転される。
【０００３】
上述のように、先行技術の多くのタイプの振動マッサージ器は内蔵使い捨て電池から電力を受ける。これらの振動マッサージ器はバッテリ電力である期間作動し、その後ある程度の分解、電池交換及び再組立を必要とする。この種の作業は、例えば作動時間の制限及び必要な電池交換に関連する不都合及び費用を含めて欠点を持つことが本明細書を読む者には明らかだろう。
【０００４】
一部の振動マッサージ器はＡＣ電力例えば米国１１０Ｖまたはヨーロッパ２２０Ｖの電力で作動するが、このようなマッサージ器は体内使用または湿った環境での使用には大きくかつ安全ではない傾向がある。また、壁面のコンセントに近接する必要があるという不便もある。
【０００５】
電源に関する不便に加えて、先行技術の振動マッサージ器はその作動モードにも同様に制限がある。典型的な振動マッサージ器はバイブレータハウジングに直接取り付けられるスイッチを含む。電線によって振動装置に接続される制御装置を含むマッサージ器は既知であるが、電力供給のための電線が不便であるのと同様に制御用配線は不便である。さらに、このような有線装置用の制御装置は、一般にオン／オフ及び強度機能など単純な制御機能に制限される。
【０００６】
最近になって、様々な機能を制御するために無線遠隔制御装置を使用する振動マッサージ器が知られるようになった。有線遠隔制御装置と同様、制御対象の機能は一般に非常に単純である。このような制御装置は複雑な制御信号を送受信することができず、通常他の装置とネットワークを形成することができない。多くの装置は範囲が限定されており、過剰な電力を消費する。例えば無線バイブレータに関しては、Ｗａｎｄｅｒｌｉｃｈに対する米国特許第６，０２８，５３１号「移動通信システム用の端末ユニット」、Ａｐｉｔｚｓｃｈによる米国特許出願第２００５／００７５０７２号「遠隔制御バイブレータ」、Ｆｉｒｏｕｚｇａｒによる米国特許出願第２００３／０１９５４４１号「遠隔制御可能なスチムレータ」を参照のこと。
【０００７】
特にＡｐｉｔｚｓｃｈによる米国特許出願第２００５／００７５０７２号を見てみると、公示された出願は個人用バイブレータへの誘電充電の使用に言及しているが、有用かつ機能的な誘導充電構造または機能についての教示または提案は不十分である。この特許は、さらに、バイブレータを制御するためにＢｌｕｅｔｏｏｔｈ（登録商標）（商標）テクノロジーを使用すると述べており、無線制御装置の比較的限定された機能性を教示している。
【０００８】
別のタイプの制御可能なバイブレータはバイブレータの作動に影響を与えるために音声制御信号を使用する。例えば、Ｃｕｔｌｅｒに対する米国特許第５，９５１，５００号「音声に反応するマッサージシステム」、Ｍｏｒｉｙａｓｕに対する米国特許第６，０２７，４６３号「音楽マッサージ器」及び米国特許出願第２００２／００６５４７７号「音声対話式バイブレータ」を参照のこと。
【０００９】
さらに別のタイプの振動装置は、直接及び（または）インターネットへのネットワーク接続を介して外部コンピュータを用いて制御される。このようなコンピュータ制御の振動マッサージ器は非常に複雑であり、作動のためにかなりの構造基盤を必要とする。例えば、コンピュータ制御のバイブレータに関しては、米国特許第５，８５７，９８６号「マルチメディア用対話式バイブレータ」を参照のこと。例えばネットワーク接続装置に関しては、Ｒｏｓｅｎｂｅｒｇ他に対する米国特許第５，９５６，４８４号「コンピュータネットワークを介するフォースフィードバック」、Ｄｅｃｋｅｒによる米国特許出願第２００５／００２７７９４号「ウェブブラウザを用いる無線装置の遠隔制御」、Ｔｙａｇｉ他による米国特許出願第２００４／０１３２４３９号「遠隔制御可能な無線セクシャルトイ」、Ｓａｎｄｖｉｃｋ他に対する米国特許第６，３６８，２６８号「デジタルコンピュータネットワークを用いるセクシャルエイドの制御」及びＷｉｌｉａｍｓ他による米国特許出願第２００２／０１３３１０３号「インターネットベースの電動セクシャルエイド」を参照のこと。
【発明の概要】
【発明が解決しようとする課題】
【００１０】
上述のように、先行技術の振動マッサージ器は一般にその電源及び（または）制御装置に関して１つまたはそれ以上の欠点を露呈している。交換式電池は不便であり、電気プラグは不便であると同時に比較的小さい装置には不適切である。内蔵のかつ（または）有線制御装置は、一般に不便であり性能が限定される。現在利用可能な無線制御装置は特に他の装置との間の相互作動の点で機能が限定されている。コンピュータ及びコンピュータネットワーク制御装置はかなりの機能性を与える可能性があるが、コスト高でありかつ複雑であり、無線制御なしでは使うのに不便である。
【課題を解決するための手段】
【００１１】
本発明の１つの実施形態に従えば、新規の改良された振動マッサージ器が提供される。本発明の１つの特徴は誘導充電システムであり、密閉された振動マッサージ器は内部電源を収納する支持ベースを介して電力を受け取る。本発明の第二の特徴は、先行技術に比べて非常に強化された機能性を与えることができるＺｉｇＢｅｅ（商標）無線通信プロトコルなど非常に機能性の高い高周波（ＲＦ）無線制御システムである。
【００１２】
本発明の１つの実施形態に従えば、マッサージ器ハウジング、マッサージ器ハウジング内部に収納される第一の電気運動源、第一の電気運動源に接続されマッサージ器内部に収納される充電式電池、及び電池に接続されマッサージ器ハウジング内部に収納される第一のカップラを含むマッサージ器と、ベースハウジング、ベースハウジング内部に少なくとも部分的に収納される電源コネクタ及び電源コネクタに接続されベースハウジング内部に収納される第二のカップラを含むベースと、を備えるマッサージ装置が提供される。ベースハウジングは、第一のカップラが第二のカップラとエネルギー結合される状態でマッサージ器ハウジングを支持するように成形される表面を含み、それによって、ベースを用いてマッサージ器の中の電池を充電できる。
【００１３】
本発明の別の実施形態に従えば、マッサージ器ハウジング、マッサージ器ハウジング内部に収納される電源、電源に接続されマッサージ器ハウジング内部に収納される第一の運動源、マッサージ器ハウジング内部に収納されかつ第一の運動源の作動を制御するために第一の運動源に接続されるコントローラ、マッサージ器の作動を制御するためのＺｉｇＢｅｅ（商標）プロトコル信号を受信するためにコントローラに及び電池に接続される第一の受信器、を備えるマッサージ装置が提供される。
【００１４】
本発明の別の実施形態において、マッサージ器ハウジング、マッサージ器ハウジング内部に収納される電池、電池から電力を受け取るために接続されマッサージ器ハウジング内部に収納される第一の運動源、マッサージ器ハウジング内に収納されかつ第一の運動源を作動するために第一の運動源に接続されるコントローラ、コントローラに接続され第一の運動源の作動を制御するためにユーザーによって操作可能な第一のユーザー制御装置及び電池及びコントローラに接続されマッサージ器ハウジング内部に収納される第一のトランシーバを備える第一のマッサージ器と、遠隔制御装置ハウジング、ＺｉｇＢｅｅ（商標）プロトコル信号を送受信するために遠隔制御装置ハウジング内部に収納される第二のトランシーバ及び第一の運動源の作動を制御するために第一のトランシーバが受信できるＺｉｇＢｅｅ（商標）プロトコル信号を生成するために遠隔制御装置を作動するために第二のトランシーバに接続される第二のユーザー制御装置を備える遠隔制御装置と、を備えるマッサージ装置が提供される。これによって第一のユーザー制御装置か第二のユーザー制御装置を用いて第一のマッサージ器の作動を制御することができる。
【００１５】
本発明の別の実施形態に従えば、人体と直接相互作用するための要素、この要素を操作するために接続されるコントローラ及び個人用ケア装置と互換性を持つ他の装置と通信するため及びこれとネットワークを形成するために高周波伝送を用いて作動可能なコントローラに接続される第一の高周波トランシーバ、を備える個人用ケア装置が提供される。
【００１６】
本発明の別の実施形態に従えば、人体と直接相互作用するための要素、この要素と接続されるコントローラ及び他の互換性を持つ装置に同報通信するために高周波伝送を用いて作動可能なトランシーバに接続される第一の高周波トランシーバ、を備える個人用ケア装置が提供される。
【００１７】
本発明の別の実施形態に従えば、人体と直接相互作用する要素、この要素に接続されるコントローラ及び他の互換性を持つ装置にマルチキャストするために高周波伝送を用いて作動可能なトランシーバに接続される第一の高周波トランシーバ、を備える個人用ケア装置が提供される。
【図面の簡単な説明】
【００１８】
【図１】充電ベースの上の誘導充電式振動マッサージ器の斜視図である。
【図２】図１の振動マッサージ器の側面図である。
【図３】本発明の振動マッサージ器用の遠隔制御装置の斜視図である。
【図４】図１の振動マッサージ器の組立図である。
【図５】振動マッサージ器、誘導充電器及び遠隔制御装置の機能要素を示すブロック図である。
【図６】図１の遠隔制御装置の組立図である。
【図７】図１のベースの組立図である。
【発明を実施するための形態】
【００１９】
上記の及びその他の本発明の目的、特徴及び利点は、添付図面と一緒に「発明を実施するための最良の形態」を検証することによって明らかになるだろう。
【００２０】
本発明において、振動マッサージ器、ベース及び遠隔制御装置を含む、新規の改良された振動マッサージ器組立体が提供される。振動マッサージ器は、内蔵充電式電池及び充電回路を持つ誘導コイルを含む。ベースは支持のためのものであると同時に、バイブレータの電池を充電するための誘導結合設備を含む。誘導充電の特徴を充分に利用するために、図解される実施形態においては、振動マッサージ器はプラスチックハウジングの超音波溶接並びに比較的薄い生体適合性のスキンによるスキニングによって密閉され、それによってマッサージ器を効果的に保護し、ユーザーの使い勝手を改良する。本発明の遠隔制御はバイブレータを制御するためにＺｉｇＢｅｅ（商標）無線通信プロトコルを使用し、先行技術に比べて機能性を大幅に強化する。
【００２１】
本明細書において使用される場合、例及び図解は代表的なものであり、限定的なものではない。図面を通じて同様の参照番号は同様の要素を示す。
【００２２】
（本発明の構造）
図１及び２を参照すると、誘導充電式の振動マッサージ器１２及び支持のための誘導充電ベース１４を含む振動マッサージシステム１０が示されている。振動マッサージ器１２は流動的な器官の形体で示される。器官の形体は、身体との様々な接触の仕方に適する多様なタイプの表面を与え、それによって、作動の柔軟性及びユーザーにとって多様な感覚を与える。図示されるように、例示される形体は、首、背中、脚などのための医療マッサージ並びに性的刺激を与える機能を持つ。
【００２３】
図解される実施形態において、振動マッサージ器１２はまず超音波溶接によって、さらに例えばシリコンまたは熱可塑性エラストマ（ＴＰＥ）から成形される薄い生体適合性の「スキン」１３によって、密閉される。密閉は誘導充電の利点を充分に利用する。すなわち、電池を取り替えるためまたは外部コードを扱うためにユニットを開く必要がなく、振動マッサージ器を外部流体及び液体から保護し、ユーザーに滑らかで心地よい触感を与える。スキンはマッサージ器表面の不快で不衛生な明白な継ぎ目の数を減少する。説明される実施形態において、スキン１３は、さらに振動マッサージ器１２全体に比較的防水性の密閉を形成し、やはり装置の機能性及びユーザーの体感の両方を改善する。装置を密閉するための別の方法は、下に説明される様々なプラスチック成分のシーリング、他の材料によるスキニング及び下にさらに詳細に説明し本明細書を読む者に明白になるその他のことを含む。
【００２４】
さらに振動マッサージ器内部にはボタン２０、２２の形で２つの制御装置が組み込まれる。ボタンは、スキン１３の下に配置されるがスキンを通して見えかつ操作可能であり、下に説明されるようにマッサージ器の本体の中に伸びる。説明される実施形態において、ボタン２０、２２は内部スウィッチ（下に説明）と相互作用し、ボタンの上面は下に説明されるようにその状態を示す照明例えばＬＥＤを含む。振動マッサージ器を装飾するためにスキンの外面または下に任意に含まれる装飾的カラー１８を使用することができる。装飾は、ブランド表示及び（または）埋め込み、植え込み、はめ込み石、個人的なエッチングまたは彫刻など宝飾品に一般的な装飾またはその他の特注品を含めて多様な形体を持つことができる。任意に、カラー１８を用いて下に説明されるように装置の機械的組立てを容易にすることができる。
【００２５】
引き続き図１及びさらに図７を参照すると、充電ベース１４は比較的「レンガ形」または長方形であり、流し台、整理ダンスまたはベッドサイドテーブルなど平らな面に充電器を置くための下面１４Ｄを含むものとして示されている。充電器は、さらに、１１０Ｖまたは２２０Ｖ壁面プラグなど外部電源から電力を受けるために電気接続部１６を含む。充電ベースの上面１４Ｃは、支持的に安定した状態で振動マッサージ器１２の端部を受けるために１対の卵形の凹み１４Ａ、１４Ｂを含む。本発明の特徴及び利点に従えば、ベース１４は振動マッサージ器１２を係合して受ける形状を持ち、装置が下に説明されるように誘導充電されるとき便利にかつ安定的に装置を支持する。
【００２６】
充電ベース１４の内部には（図７に示されるように）電力コンバータ６６及び誘導コイル６４を支持する回路板１９が見える。その機能については下で説明される。例えば、上面１４Ｃを底部１４Ｄに固定するために使用されるネジ（ねじは１５で示される）を隠すために、例えば粘着ゴムディスクの形のコーナーフットを使用することができる。
【００２７】
次に図３を参照すると、振動マッサージ器１２の作動を制御するための遠隔制御装置３０用の外部構造が示されている。説明される実施形態においては、遠隔制御装置３０は全体的に切断された卵形３７の形状を持つように図に示されている。一般的に３２、３４及び３６で示されているボタン制御のスイッチの形の多様な制御装置を支持する膜スイッチ３８によって平らな表面が与えられる。遠隔制御装置３０は、各々様々な内部成分を支持するための内部構造を含む１対のかみ合い側面によって形成される。遠隔制御装置のこのような外部構造は、例えば、アクリロニトリルブタジエンスチレン（ＡＢＳ）プラスチック、ポリカーボネート（ＰＣ）、熱可塑性エラストマ（ＴＰＥ），ポリエチレン、液晶ポリマー（ＬＣＰ）、セルロースアセテートプロピオネート（ＣＡＰ）、ナイロン、ポリカーボネート・ＡＢＳ混合（ＰＣ−ＡＢＳ）またはその他の材料、熱可塑材またはその他などの材料を含む。
【００２８】
図６も参照すると、遠隔制御装置３０の内部成分が、充電式またはその他の電池６８、及びマイクロコントローラ、アンテナ、４つのＬＥＤ、膜スイッチ３８への配線のためのコネクタ及び下に説明されるように付加的な支持回路を含めて電気部品を支持する電子回路板を含むことが示されている。電子部品は、高周波制御信号の受信及び処理、ボタンスイッチ３２、３４及び３６などユーザー操作の制御装置からの信号の受信及び処理及びＬＥＤ照明の制御を含めて多様な機能をサポートする。ボタンスイッチは「膜スイッチ」タイプのものであり、膜内部に組み込まれ、ボタンスイッチによって操作可能である。この構成は水及びその他の流体に対して不浸透性であり、表面をきれいに保ち易いように形体が滑らかで連続的であり、かつ製造コストが安いという利点を与える。ボタンスイッチ３２及び３６は各々、スイッチ膜内部の２つの瞬間スイッチへのアクセスを可能にする。２つのボタンは各々、ユーザーがバイブレータ１２内の２つのモータの各々の活動を直観的に増減できるようにするためにプラス／マイナス機能をサポートすることができる。
【００２９】
図６から、遠隔制御装置３０の卵形形状はプラスチックの卵形ハウジングの底３７に由来することが分かる。上部の平らな面はプラスチックハウジング上部３５に重なるスイッチ膜３８によって形成される。ハウジング上部３５はボタンスイッチ３２、３４、３６と回路板８０上のスイッチとの電子接続を容易にする開口３５Ａを含む。楕円形シールまたはＯリング３３はハウジング上部３５とハウジング底部３７との間のシールとなる。ハウジング内には様々な電子部品が収納され、ハウジングスキン３１はプラスチックのハウジング成分を被覆すると同時に、スイッチ膜３８のエッジを包む（図３の組立て済みの状態において分かる）。
【００３０】
平らな表面３８及びハウジングスキン３１の隆起する平面縁は、遠隔制御装置３０を「ひっくり返して」置けるようにし、それによって、制御装置を隠し、装置に独自の、きれいな魅力的な外観を与えることができる。上述のように、図解される実施形態において、遠隔制御装置３０はゴムのＯリング３３によって密閉され、さらに例えばシリコンまたは熱可塑性エラストマ（ＴＰＥ）から成形される取外し可能な薄い生体適合性「スキン」３１によって密封される。この密封によって遠隔制御装置３０は外部の流体及び液体から保護され、かつユーザーにとって滑らかで心地よい触感を与える。スキンは遠隔制御装置における明白な継ぎ目の数を減少させ、ユーザーが装置を握り易くし、落下したときの衝撃から装置を保護する。遠隔制御装置の外側スキン３１は、また、遠隔制御装置３０が吸引によってガラス、タイル、鏡または浴槽の側面など滑らかな表面に付着できるようにして、使用されていないとき装置を保管するための有用で独特の手段を提供する。説明される実施形態において、スキンは遠隔制御装置の凸面部全体の二次的な防水シールを形成して、装置の機能性及びユーザーの使い勝手の両方を改善する。装置を密封するための別の方法は、超音波溶接、他の材料によるスキニング及び本明細書を読む者には明らかであるその他など様々なプラスチック成分のシーリング（密閉材）を含む。
【００３１】
システム１０の電気機械的構造及び機能について、次に図４及び５に関連して説明する。図４は振動マッサージ器１２の組立図を示し、図５はマッサージ器、ベース１４及び遠隔制御装置３０のブロック機能図を示している。
【００３２】
まず図４を参照すると、振動マッサージ器１２の機械的組立て図が示されている。マッサージ器は、１２Ａ、１２Ｂで示される１対のかみ合い側面を含み、各々が様々な内部要素を支持するための内部構造１２Ｄを含む。このマッサージ器の外部構造は、例えば上述のようにプラスチックまたは熱可塑剤を含む。
【００３３】
振動マッサージ１２の内部成分は、誘導充電コイル４２などエネルギーカップラ、電池４８など電源、及び４６Ａ、４６Ｂで示される１対の振動モータを含むものとして示されている。電子回路板４４は、電池４８の充電のサポート、高周波制御信号の受信及び処理、ボタン２０及び２２などユーザー操作の制御装置からの信号の受信及び処理、及びモータ４６Ａ、４６Ｂの作動の制御を含めて、多様な機能のために下でさらに説明される電気部品をサポートする。
【００３４】
図４から明らかなように、組み立てられると、モータ４６Ａ、４６Ｂはマッサージ器１２のほぼ対向する側方端に配置され、回路板４４、電池４８及び誘導コイル４２は一般に装置の中央寄りに支持される。スイッチ２０、２２は装置の中央寄りである。この組立体は、マッサージ器がユーザーの手に握られているとき装置の方角に関係なくユーザーにとって心地よいバランス及びスウィッチの使い易さを振動マッサージ器１２に与える。本発明の特徴に従えば、モータ４６Ａ、４６Ｂが振動マッサージ器１２の対向する端に配置されて、両端でマッサージ器を使用できることが判る。モータは異なるサイズのものであり、異なる作動特性を与える。モータ４６Ａはその軸に比較的大きい振動ウエイトが取り付けられる大きいモータである。従って、このモータは非常に強くより低い周波数の振動を生成するように構成される。モータ４６Ｂは軸に比較的小さい振動ウエイトが取り付けられる比較的小さいモータである。このモータは、より高い周波数の振動を生成しかつ入り組んだ制御信号により素早く反応することができるように構成される。モータは振動マッサージ器１２内部に異なる縦軸上に非線形に配置される。このように、マッサージ器は作動されるモータ及び体に当てられる表面に応じてユーザーにかなり異なる感覚を与えるという利点を持つ。さらに、両方のモータが同時に作動すると、生成される２つの周波数の振動は干渉するかまたは共鳴し、それによってユーザーのためにさらに付加的な感覚を生成することができる。
【００３５】
別の実施形態において、様々な数の様々なタイプのモータを作動させ、かつ、様々な数の制御装置を振動マッサージ器１２のハウジングに直接配置することができることが分かるだろう。
【００３６】
図解される実施形態において、装飾的カラー１８は１対のかみ合う半体１８Ａ、１８Ｂを含むものとして示されており、カラー半体は相互に圧力で係合して、かみ合い半体１２Ａ、１２Ｂを一体として保持することによってマッサージ器１２の構造を支持するためにスロット１２Ｃ（図には片方しか示されていない）の中に差し込まれる。
【００３７】
ボタン組立体４０は、個々のボタンスイッチ２０、２２を含むものとして示されており、説明される実施形態において、スイッチは瞬間スイッチすなわち状態を示す発光ダイオード（ＬＥＤ）インディケータを持つ感圧電子スイッチを含む。下に説明するようにマッサージ器の作動をサポートするためにボタンはスキン１３の下に留まったままマッサージ器１２の表面から突き出す。
【００３８】
図４には示されていないが、上述のように、振動マッサージ器１２は、例えばシリコン、熱可塑性エラストマ（ＴＰＥ）、熱可塑性ウレタン（ＴＰＵ）または触感品質、生体適合性、耐久性及び部品１２Ａ及び１２Ｂの材料に接着する能力など所期の特性を持つ別の材料で構成される生体適合性の外部スキン１３（図１を参照）を含む。このようなスキンは変動する厚みを持つことができ、装置の本体の周りに異なる程度の堅さまたは柔らかさを与え、それによって振動マッサージ器から得られる触感特性を強化しかつその数を増大することができる。
【００３９】
次に図５を参照しながら、まず振動マッサージ器１２の機能的作動を検証すると、回路板４４は、マイクロコントローラ５４によって制御される多様な電子部品を含むことが示されている。マイクロコントローラ５４は、例えば、低電力８ビット、８ＭＨｚマイクロプロセッサ、６４ＫＢのフラッシュメモリ、４ＫＢのスタティックＲＡＭ，２ＫＢのＥＥＰＲＯＭ及び２つのパルス幅変調（ＰＷＭ）チャネルを備える。多くの市販のタイプが技術上周知であり、例えば、Ｉｎｔｅｌ、ＩＢＭ、ＡＭＤ、Ｔｅｘａｓ  Ｉｎｓｔｒｕｍｅｎｔｓ、ＥＭ  Ｍｉｃｒｏｅｌｅｃｔｒｏｎｉｃｓ、Ｈｉｔａｃｈｉ及びＸｅｍｉｃｓなどの供給者からこれを入手できる。
【００４０】
誘導コイル４２は回路板４４上の充電制御及び監視回路に接続され、充電器１４の中の対応するコイル６４と電磁結合するように配置され、それによって電池４８を充電するために電流を誘導的に発生させる。Ａ／Ｃ−Ｄ／Ｃコンバータ６２は、誘導電流をＤ．Ｃ．電圧にすなわち電池４８を充電するために充電器６０に供給される電圧に変換するために作動する。電池プロテクタ５８は、充電時間を最小限に抑え、電池寿命を最大限に延ばしかつ電池の過充電を避けるために従来の方法で充電器６０に接続される。与えられた制御信号に応答してまたマイクロコントローラ５４によって決定される通りにモータ４６Ａ、４６Ｂを駆動するための制御信号を生成するためにモータ駆動装置５２が配置される。この詳細は下に説明される。
【００４１】
誘導コイル４２は、それぞれ充電器とバイブレータ内の一次コイルと二次コイルとの間の正確な距離で効率的に結合するように選択されるフェライト磁心を持つ巻線コイルである。技術上既知の方法で、コイル４２及び６４を規格品として調達するか、またはその所期の相対的位置及び性能に応じた仕様に合わせてこれを製造することができる。電池４８はリチウムイオン電池など従来の高容量充電式電池である。コンバータ６２は従来のＡＣ／ＤＣコンバータであり、充電器６０を駆動するために必要な６ＶＤＣ電力を生成するために来信誘導結合１００ＫＨｚＡＣ信号を整流する。充電器６０は高容量電池の複雑な充電要件に対処するように設計される従来の部品である。電池プロテクタ５８も従来の部品であり、過電圧、不足電圧、過電流、不足電流及び過熱状態から電池４８を保護する。充電器６０及びプロテクタ５８は例えばＬｉｎｅａｒ  Ｔｅｃｈｎｏｌｏｇｙ社から入手可能な型式の集積回路の形式を取ることができる。
【００４２】
下に説明されるように遠隔制御装置３０またはその他の制御装置からＺｉｇＢｅｅ（商標）無線通信プロトコルの高周波制御信号を受信するために高周波トランシーバ及びアンテナ５６が含まれる。受信された信号は、モータ４６Ａ、４６Ｂの作動を制御するためにマイクロコントローラ５４、モータ駆動装置５２及びユーザー制御装置及びインディケータに作用する。本発明のこの実施形態において、マイクロコントローラ５４及びモータ駆動装置５２はモータ４６Ａ、４６Ｂのパルス幅変調制御のために作用し、このＰＷＭ制御は下に説明されるように大きな利点をもたらす。
【００４３】
制御装置及びインディケータ５０がマッサージ器のユーザーによる直接操作のために振動マッサージ器１２に物理的に取り付けられる制御装置及びインディケータを含むことが分かるだろう。説明される実施形態において、このような制御装置は回路板４４上の上述のスイッチと相互作用するボタン２０及び２２を含む。別の実施形態において、振動マッサージ器の物理的構造に多数の他のユーザー制御装置及びインディケータを含むことができることが分かるだろう。
【００４４】
引き続き図５を参照しながら、次に充電器の機能的側面を検証すると、充電器は交流（Ａ／Ｃ）電源１６例えば従来の１１０Ｖ／２２０Ｖ外部電源へのコード接続を含むものとして示されている。充電器１４は、さらにＡ／Ｃ電力の周波数を変換するための電力コンバータ６６及び変換された電力を誘導コイル４２に誘導的に結合しそれによって電池４８を充電するための誘導コイル６４を含む。電力コンバータ６６は５０Ｈｚまたは６０ＨｚＡＣをＤＣに変換するための受動素子回路及びこのＤＣ電圧を１００ＫＨｚＡＣに変換するための能動的スイッチ素子によって構成される。コイル４２に関して上に説明したように、誘導コイル６４は、それぞれ充電器とバイブレータの一次コイルと二次コイルとの間の正確な距離で効率よく結合するように選択されるフェライト芯を持つ巻線コイルで構成される。
【００４５】
説明される実施形態において、ベース１４内部の各種の電子部品は、エポキシまたはこれと同等のｓｅａｌａｎｔ（シーラント）によって注封され、それによって防水シールを与えると同時に充電時または非使用時に振動マッサージ１２をしっかりと支持するための充分な重量を与える。ベース１４の外側ハウジングはプラスチックであることが好ましいが、他の機能的または美的材料から製造するかまたはこれを含むことができる。充電器１４は他の望ましい特徴を組み込むかまたは複数の別の多数の形式をとることができる。例えば、充電器はＡ／Ｃ電源ケーブルのためのケーブル管理システムを組み込むことができる。または、プライバシー、セキュリティ及び輸送のために、ボックスまたは同様の包囲物の中に充電器を組み込むかまたはベッドに保管して他のクッションと調和させるために枕など柔らかい構造にこれを組み込むことができる。バイブレータは、様々な方角の充電器と係合することができる。例えば、充電器にバイブレータを垂直に立てることができる。さらに、互換性を持つ多様なバイブレータ、遠隔装置またはその他の電動製品に万能的に使用するために充電器を最適化することができる。
【００４６】
別の実施形態において、自身のパッケージ例えば誘導コイルをその中に持つボトルまたはその他の容器内部に誘導コイルを組み込む外部パッケージ設計と一緒に充電器を使用することができる。誘導結合コイルによって生成されるすなわち充電器１４の中のコイルと外部パッケージの中のコイルとの間で生成される電力を、パッケージの照明（梱包がＬＥＤまたはその他の光源を組み込む場合）のためまたはパッケージ内部に収納される製品を暖めるために使用することができる。例えば、マッサージ器１２を充電する機能の他に、ベース１４は同時に液体医薬またはオイルの受け器を温める機能を果たすことができる。
【００４７】
次に遠隔制御装置３０を参照すると、図５に示されるような機能的成分は遠隔制御装置の様々な成分を制御するためのマイクロコントローラ７２を含むものとして示されている。遠隔制御装置に電力を供給するために電池６８及び任意の電池プロテクタ７４が配置される。ＺｉｇＢｅｅ（商標）無線通信プロトコルのＲＦ制御信号を生成しこれを振動マッサージ器１２の中の対応するトランシーバ５６に送信するために上述のＲＦトランシーバ及びアンテナ７０が配置される。１つの実施形態において、マイクロコントローラ５４及び７２のメモリの中に常駐するファームウェアによってＺｉｇＢｅｅ（商標）機能性が与えられ、マイクロプロセッサによってこれが処理される。別の実施形態において、ＺｉｇＢｅｅ（商標）機能性は、ＲＦトランシーバ５６、７０の中に及び（または）マイクロコントローラ及び（または）トランシーバに結合されるＺｉｇＢｅｅ（商標）機能集積回路の中に組み込まれる。ユーザーが下の説明に従って振動マッサージ器１２の作動を遠隔から制御できるようにするために、図示されるボタンスイッチ３２、３４及び３６を含めて制御装置及びインディケータ７６が含まれる。
【００４８】
電池６８、電池プロテクタ７４、マイクロコントローラ７２、各種のＲＦトランシーバ部品７０及び制御装置及びインディケータ７６を含む遠隔制御装置３０の各種部品は、本明細書を読む者には周知の従来の部品を含む。マイクロコントローラ７２は、例えば、マイクロコントローラ５４に関して一般的に上で説明されるタイプの６４ＫＢのフラッシュメモリ、４ＫＢのスタティックＲＡＭ、２ＫＢのＥＥＰＲＯＭを持つ８ビット、低出力、８ＭＨｚプロセッサを備える。プロセッサは、さらに任意の従来の集積回路及び（または）相互接続アナログ−デジタル変換回路を含む。電池６８は、リチウムまたはリチウムイオン電池など高容量、高電圧電池である。例えばプロテクタ５８に関して上に説明されるタイプの任意の電池プロテクタ７４は、過電圧、不足電圧、過電流／不足電流及び過熱状態から電池６８を保護する。振動マッサージ器１２またはその他の装置からＺｉｇＢｅｅ（商標）無線通信プロトコルの高周波制御信号を受信するために従来の高周波トランシーバ及びアンテナ７０が含まれる。
【００４９】
再び図５を参照すると、互換性を持つ無線装置のネットワークの中で本発明のバイブレータシステムを図解するために、２つの無線装置１０２、１０４がＺｉｇＢｅｅ（商標）無線ネットワーク１００構成においてシステム１０と接続されて示されている。装置１０２、１０４が下に説明される装置、センサ及び（または）システムのうち１つまたはそれ以上を備えることができることが分かるだろう。これらは、各々ＺｉｇＢｅｅ（商標）無線と互換性を持ち、かつ下に説明されるように無線プロトコルを用いてネットワークにおいて相互に及び（または）システム１０と通信する。
【００５０】
（本発明の構成）
上述のように、構成上、２つのモータ４６Ａ、４６Ｂは振動マッサージ器１２の対向する端に配置され、それによってマッサージ器のいずれかの端に選択的に及び（または）マッサージ器全体に振動運動を与える。説明される実施形態において、モータ４６Ｂは４６Ａに比べて小さく、各モータは軸方向にずらして配置されるウエイトを備え、それによってマッサージ器に振動を与える。上述のように、図解される実施形態において、モータは相互に軸方向にずらして配置される。マッサージ器１２に対して所期の振動効果を与えるためにモータ及び回転ウエイトの相対的なサイズ、位置及び機能が選択されることが分かるだろう。治療あるいは性的刺激のために様々な振動効果を与えるために様々な形態を選択することができる。
【００５１】
説明される実施形態において、１２Ａ、１２Ｂで示される（図４）振動マッサージ器１２の２つの半体は、水分及びその他の外部汚染物質から装置を密封するために超音波溶接される。その後スキン層１３が密閉されたハウジングの外側に被せて成形されて、衛生的効果を与えると同時に、超音波溶接の防水シールを強化する。
【００５２】
（本発明の作用−誘導充電）
上述のように、作動時、充電器１４は、振動マッサージ器１２を支持して２つのユニットの中の誘電コイル４２と６４との間の誘導結合を最適化する特定の方角にマッサージ器を案内する上面１４Ｃを含む。
【００５３】
振動マッサージ器１２が充電ベース１４上の適切な位置に置かれると、マッサージ器のボタン２０及び２２の下に配置されるＬＥＤが１秒間点灯して、充電器の中の誘導コイルとマッサージ器の中の誘導コイル４２とが適切に結合されて、充電が進行中であることを知らせる。この１秒間の点灯の後に一連の短時間すなわち持続時間２５０ｍｓの点滅が続いて、現在の充電レベルを下記の通りに知らせる：
【００５４】
【表１】
2015097925.tif 000003
【００５５】
または、スピーカまたはブザーなど音声装置によってまたは振動など触覚フィードバックによってまたは本明細書を読む者には明らかなその他の形式のユーザーが認識できるフィードバックによってフィードバッグを与えることができる。
【００５６】
振動マッサージ器１２の中の電池４８の充電は充電時間及び電池の寿命を最適化する電力コンバータ６６の中の回路によって制御される。説明される実施形態における充電機能は、単一のリチウムイオン電池４８の使用に最も適する。ニッケル水素（ＮｉＭＨ）または複数の電池及び（または）複数の電池タイプなど他のタイプの充電式電池をマッサージ器に使用することもでき、このような電池形態の場合これに合わせて充電の機能性が最適化される。
【００５７】
振動マッサージ器１２はその充電状態に知的に反応する。マッサージ器は上述のパターンでそのＬＥＤを点滅させることによってその充電レベル（例えば完全放電、低、中、高または完全充電）を知らせることができる。マッサージ器は、遠隔制御装置３０との間の高周波通信またはＬＥＤの点灯による状態の表示など他の基本的機能を維持することができるように、電池が完全に放電される前にモータの作動を停止する。説明される実施形態において、充電中はマッサージ器をオンにすることができず、また充電器にまたはそのそばにマッサージ器が置かれる時マッサージ器が振動している場合、マッサージ器は自動的に運転を停止される。
【００５８】
電池を変える必要がないことまたは電気コードを扱う必要がないことなど上述の利点に加えて、誘導充電は発熱と言う大きな利点をもたらし、振動マッサージ器１２に蝕知できる暖かさすなわちユーザーにとって心地よい感触を与える。
【００５９】
（本発明の操作−ユーザー制御された操作）
本明細書を読む者には明らかなように、ユーザーは振動マッサージ器１２を直接操作するための少なくとも２つの方法を簡単に利用できる。第一の方法はマッサージ器のハウジングのボタン２０、２２を直接操作する方法である。この操作について下の表２に関連して説明する：
【００６０】
【表２】
2015097925.tif 000004
【００６１】
制御装置２０、２２の操作がマイクロコントローラ５４によって処理されること及び上に説明する多様な制御機能を本発明の振動マッサージ器にプログラムできることが本明細書を読む者には分かるだろう。
【００６２】
本発明の説明される実施形態において、モータ４６Ａ、４６Ｂはパルス幅変調（ＰＷＭ）を用いてモータ駆動装置５２によって作動される。技術上既知のように、ＰＷＭはモータ作動を制御するために制御信号のデューティサイクルを使用する。全出力のとき、ＰＷＭ回路は１００％の時間モータに電力を与える。部分出力の場合、ＰＷＭ回路は同じパーセント部分の時間モータに電力を与える。本発明のこの態様に従えば、モータのＰＷＭ制御は従来の振幅変調制御に比べて反応性を強化する。これは、低速でモータを運転する能力、低周波の振動を与える能力並びに下に説明される比較的複雑な制御信号に従ってモータの作動を微細制御する能力を含めて大幅な利点を与える。
【００６３】
（本発明−遠隔制御操作）
ユーザー制御装置２０、２２に関連して上に説明されるのと少なくとも同じ機能を、コントローラ３０を用いて遠隔から応用できることが明らかであろう。付加的なボタン（マッサージ器１２上の２つのボタン機能に対して遠隔制御装置３０上の５つのボタン機能）を含むために、遠隔制御装置３０を用いて振動マッサージ器のさらなる機能を利用することができる。
【００６４】
上述のように、遠隔制御装置上には無線操作で個別にまたはネットワークの一部としてマッサージ器を制御するために使用される３つのボタンスイッチ３２、３４及び３６がある。３つのボタンスイッチのうち２つ３２及び３６は下にある各２つの瞬間制御スイッチ（膜表面３８内部に組み込まれる図６参照）と相互作用して、双方向制御を行う。このような双方向制御は、２台のモータの活動またはその他の制御可能な特徴を直観的に増減するための＋／−または増減機能性を与える。中央のボタンスイッチ３４は双方向ではなく、同じく膜表面３８内部に組み込まれて下にある単一の瞬間接触スイッチを操作する。個別に押されると、双方向ボタンスイッチは各々別個のモータを制御する。双方向ボタンスイッチ３２はモータ４６Ｂを制御し、双方向ボタンスイッチ３６はモータ４６Ａを制御する。
【００６５】
双方向ボタンスイッチ３６に関しては、ボタンスイッチを上（３６Ｕ）または下（３６Ｄ）に押して放すことによってモータ４６Ｂの８つの別個のモータ速度を利用できる。詳細に説明すると下記の通りである。
・   ボタンスイッチ３６Ｕを押して放すと、モータ４６Ｂの速度がその最大速度に達するまでモータ４６Ｂの速度は次に高い速度に加速される。
・   モータ４６Ｂが最大速度のときスイッチ３６Ｕを押しても何の効果もない。
・   ボタンスイッチ３６Ｄを押して放すと、モータがオフになるまでモータ４６Ｂの速度は次に遅い速度に減速される。
・   モータ４６Ｂがオフのときボタンスイッチ３６Ｂを押しても何の効果もない。
・   スイッチ３６Ｕを押し続けると、モータ４６Ｂは、その最大速度に達するまで徐々にかつ直線的にその速度を増す。ボタンスイッチ３６Ｕが放されると、モータ４６Ｂが達している速度が維持される。
・   ボタンスイッチ３６Ｄを押し続けると、モータ４６Ｂは停止するまで徐々にかつ直線的にその速度を減じる。ボタンスイッチ３６Ｄが放されると、モータ４６Ｂが達している速度が維持される。
【００６６】
双方向ボタンスイッチ３２の操作は、モータ４６Ａの制御のためのものであることを除いて、ボタンスイッチ３６の操作と同じである。
【００６７】
ボタンスイッチ３２及び３６の操作と異なり、ボタンスイッチ３４は事前に設定された振動パターン及び（または）パターンの組合せを操作するために機能する。詳細に説明すると下記の通りである：
・   ボタンスイッチ３４を押して放すと、マッサージ器は下の表３に従った様々な振動の組合せを循環する。ボタンを押すごとに、バイブレータは次の組合せに進む。例えば、マッサージ器が組合せ２のときボタン３４を押すと、マッサージ器は組合せ３に切り替わる。マッサージ器が組合せ５のときボタンスイッチ３４を押すと組合せ０に戻る。
・   マッサージ器のボタンが押されると、マッサージ器がどの組合せであるかに関係なく、マッサージ器は組合せ０に切り替わる。
・   ボタンスイッチ３４を３秒間押し続けると、コントローラはコントローラのＺｉｇＢｅｅ（商標）ＰＡＮ  ＩＤ（パーソナルエリアネットワークＩＤ）をネットワーク形成要求側装置に送ることによってマッサージ器またはその他の装置からのネットワーク形成の要求に応答する。ネットワークが見つかると、ネット形成を行う間、全てのＬＥＤは、ＬＥＤ１からＬＥＤ２、ＬＥＤ３、ＬＥＤ４へと言う反復シーケンスで点滅する。その後４つのＬＥＤ全てが一緒に３回点滅して、ネットワーク形成がうまく完了したことを知らせる。接続するネットワークがない場合、ＬＥＤのうち２つが点滅し、その後他の２つのＬＥＤが交互に点滅して、これが５回繰り返されて、ネットワーク形成エラーを知らせる。
【００６８】
【表３】
2015097925.tif 000005
【００６９】
ボタンスイッチ３２、３６の組合せは他の機能を与える。特に、
・   どのモータもオンではない場合、ボタンスイッチ３２Ｕまたは３２Ｄとボタン３６Ｕまたは３６Ｄを同時に押しても何の効果もない。
・   １つまたはそれ以上のモータがオンの場合、ボタンスイッチ３２Ｕまたは３２Ｄとボタンスイッチ３６Ｄまたは３６Ｄを同時に押すと全てのモータがオフになり、マッサージ器を一時停止状態にする。
・   マッサージ器が一時停止されているときに、ボタンスイッチ３２Ｕ、３２Ｄ、３６Ｕまたは３６Ｄを瞬間的に押すかまたはボタンスイッチ３２Ｕまたは３２Ｄ及びボタンスイッチ３６Ｕまたは３６Ｄの両方を同時に押すと、マッサージ器は一時停止前と同じ活動レベルに戻る。
【００７０】
下にも論じるように、製造者に既知でありかつ開示されない限りユーザーには利用できない特殊な振動パターン及びモードを利用するためにボタンスイッチの特定の押し順をプログラムすることができる。この機能性はビデオゲームに埋め込まれる「チートコード」と同様のものである。コントローラの販売促進キャンペーンの一環としてこの特定のシーケンスを定期的に公開することができる。
【００７１】
（本発明の操作−無線ネットワーク＆制御信号操作）
本発明に使用されるＺｉｇＢｅｅ（商標）機能性はその一番近い競合製品ＢｌｕｅＴｏｏｔｈ（登録商標）（商標）（別の周知の無線通信プロトコル）に比べて大きな利点を与える。技術上既知のように、ＢｌｕｅＴｏｏｔｈ（登録商標）（商標）互換装置は、周波数ホッピング技術を用いる比較的高電力消費の装置であり、一般に１つのピコセルにおいて７つのノードまたは装置に限定される。それに比べて、ＺｉｇＢｅｅ（商標）互換装置はＺｉｇＢｅｅ（商標）プロトコルスタックを利用し、比較的電力消費が小さく、ＩＥＥＥ８０２．１５．４標準の直接シーケンス拡散スペクトラム（ＤＳＳＳ）を使用し、各ネットワーク内により多くの装置（事実上比較的無制限の数の装置）を含むことができる。ＺｉｇＢｅｅ（商標）互換装置は、さらに、任意の互換装置へデータを送るための局所通信の同報通信モード、１つまたはそれ以上の指定装置へデータを送るための局所通信のマルチキャストモード、及び網目状ネットワークに自己編入する能力を与える。これについては下でさらに論じる。
【００７２】
ＢｌｕｅＴｏｏｔｈ（登録商標）（商標）に比べた場合のＺｉｇＢｅｅ（商標）機能性の利点を考慮すると、本発明は、１）大幅に低い電力消費、２）付随的なより低いハードウェアコスト、及び３）複雑なネットワーク構成において多数の互換装置をより簡単にかつ直接的に接続できる能力、をもたらす。特に、本明細書において示されるようなＺｉｇＢｅｅ（商標）互換装置は、多対一形態例えば多数のコントローラが単一の装置を制御する形態または一対多形態例えば１つのコントローラが複数の装置を制御する形態の両方で作動できる。後者はＢｌｕｅＴｏｏｔｈ（登録商標）（商標）によっては提供されないと思われる機能である。現在９００ＭＨｚ及び２．４ＧＨｚ信号を含めて多様な周波数でＺｉｇＢｅｅ（商標）通信プロトコルを応用できるが、本発明の説明される実施形態においては、広いほうの帯域幅２．４ＧＨｚ周波数が使用され、より感度の良い制御装置及び国際管理機関の互換性を含めて利点がある。この帯域幅は複雑な制御信号の送受信を可能にし、装置が音楽オーディオまたはその他の複雑な制御信号など複雑な信号に正確にかつ同時に応答するようにするのに充分な分解能（２５０キロボー）を持つ。
【００７３】
別の実施形態において、本発明はＺｉｇＢｅｅ（商標）同報通信作動モードまたはマルチキャスト作動モード及び（または）互換装置を自己編入網目状ネットワークに簡単に組み込む機能を利用する。このような機能を用いて、マッサージ器１２及び（または）遠隔制御装置３０は通信範囲内の他の互換装置との間にネットワークを形成できることを送信し、その後利用可能な装置と間のネットワークに自己編入することができる。このような特徴は本発明に様々な作動モードで作動する能力を与える。例えば、上述のように、１つのコントローラが１つまたは多くのマッサージ器を制御することができ、複数のコントローラが単一のマッサージ器を制御することができ、コントローラ及びマッサージ器の複数のグループが相互に妨害することなく同じ空間内で作動することができる。さらに、本発明に、多くの他のタイプの装置との間でネットワークを形成しかつ下に説明するように多くの異なる制御信号及びコントローラ配列体と相互作用する能力を与える。
【００７４】
上述の通り、他のタイプの装置を含めてＺｉｇＢｅｅ（商標）プロトコルの互換性実現を共有する全ての装置は相互に同時使用することができる。例えば、ユーザーが特定の振動マッサージの作動に飽きたら、異なる作動特性を持つ新しい遠隔制御装置を購入すれば、マッサージ器は新しいコントローラにプログラムされた新しい特性及び機能を持つことができる。逆に、ユーザーは新しい物理形体及び（または）機械的機能を持つ新しいマッサージを追加することができ、これをユーザーがすでに所有しているＺｉｇＢｅｅ（商標）互換コントローラで操作することができる。
【００７５】
他のＺｉｇＢｅｅ（商標）機能装置が振動マッサージ器と相互作用することができる。例えば、振動マッサージ器１２はデータを収集して、このデータを解釈してこれに応答することができる。マッサージ器は内部生成データ及び（または）外部受信データを通信範囲内の他の装置及びシステムに送信することができる。例えば、心拍数、呼吸数、体温、電気皮膚抵抗、血流、筋肉活動、神経活動などによって示される覚醒レベルなど１つまたはそれ以上の身体機能を検出するために１つまたはそれ以上のバイオフィードバックセンサを使用することができ、身体機能データはマッサージ器の作動を制御するために使用される。ロケーションセンサは位置、方向、加速などの位置データを検出することができる。環境センサは、音、圧力、温度、光などの条件を検出することができる。これらの条件、データ及び情報全てを遠隔制御装置３０またはその他のコントローラまたはネットワーク内のセンサ装置及び（または）マッサージ器１２によって送受信することができ、マッサージ器の作動を制御するために単独でまたはマイクロコントローラ内のプログラムされた命令と組み合わせて使用することができる。
【００７６】
振動マッサージ器１２の作動を制御するために精巧な制御システムを実現することができる。音声感知コントローラは環境音、音楽、音声、音声コマンドなどに基づいて制御信号を生成することができる。圧力に基づいて制御信号を生成するために圧力センサなど別の入力メカニズムを使用することができる。ラップトップコンピュータのポインティング装置として使用されるようなタッチパッドは、複雑な制御機能を生成するための比較的単純なインターフェイスとなる。既存の人間−機器及び人間−コンピュータ間の対話形式に基づく他の制御システムを使用することができる。
【００７７】
単独のまたは他の装置とのネットワークにおけるバイブレータのための複雑な制御信号を生成するための精巧なインターフェイスを与えるためにＭＩＤＩシステムを使用することができる。または、装置が楽曲に同期に反応するように、楽曲演奏のために使用されるＭＩＤＩ信号を単独のまたは他の装置とのインターネットの中のバイブレータのための制御信号として再び解釈することができる。
【００７８】
本発明は、遠隔制御装置３０からマッサージ器１４への制御信号の送信に関して一般的に説明されているが、本明細書を読む者はＺｉｇＢｅｅ（商標）プロトコルが双方向通信を可能にすることが分かるだろう。すなわち、マッサージ器１４は制御データ及び情報データを遠隔制御装置３０またはネットワーク内の他の装置に送り返すことができる。
【００７９】
ＵＳＢ、ＦｉｒｅＷｉｒｅ（商標）、パラレル、シリアルまたはその他の入力／出力ポートを介してパソコン、ポータブルコンピュータ、ネットワークコンピュータまたは手持ちコンピュータなどコンピュータにまたは通信装置またはその他の電子装置にＺｉｇＢｅｅ（商標）互換無線トランシーバを取り付けることができる。このトランシーバをネットワークとの信号の送受信に使用することができる。コンピュータまたはその他の装置によって生成される信号は例えば下記のことに基づく。
・   １台またはそれ以上のマッサージ器またはその他の装置との精密なＧＵＩベースの相互作用を生成するための精巧なコンピュータインターフェイスをユーザーに与えることができるＧＵＩ（グラフィカルユーザーインターフェイス）プログラム。
・   １台またはそれ以上のマッサージ器またはその他の装置との対話に使用可能なユーザープログラム信号を生成し、使用し、記憶することができる。このような信号をオンラインでまたは他のアウトレットを通じて共有し、装置に埋め込み、または販売することもできる。
・   コンピュータまたはその他の装置でプレイされる特殊な媒体を制御トラックによってコード化することができる。これによって、１台またはそれ以上のマッサージ器またはその他の装置は視聴される媒体と同期に行動する。さらに、媒体自体をネットワークから受信する信号に応答して制御または変更することができる。
・   コンピュータまたはその他の装置でプレイされる、事前に制御トラックがプログラムされていない標準媒体を、ソフトウェア、ファームウェアまたはハードウェアによって解釈し、これを使って１台またはそれ以上のマッサージ器またはその他の装置が視聴される媒体と同期に行動するようにすることができる。
・   個別にまたはネットワーク構成においてコンピュータでプレイされる対話型ゲームは、マッサージ器またはその他の装置へ送信される信号を生成し、これから受信する信号に応答することができる。
・   チャットルーム、バーチャルコミュニティ、デート斡旋サービスなどを含めて他者とのオンラインのピアツーピア遠隔対話は、マッサージ器またはその他の装置へ送信される信号を生成し、これから受信する信号に応答することができる。
・   オンラインのパフォーマー対オーディエンスのマルチキャストまたは一対一パフォーマンスはマッサージ器またはその他の装置へ送信される信号を生成しこれから受信する信号に応答することができる。
・   同報通信でのオンラインのオーディエンス対パフォーマー参加または一対一パフォーマンスは、マッサージ器またはその他の装置へ送信される信号を生成しこれから受信される信号に応答することができる。
・   本明細書を読む者に明らかなその他のこと。
【００８０】
さらに別の実施形態においては、ビデオゲームＲＯＭＳ、オーディオ及び（または）ビデオＣＤ及びＤＶＤ及び電子ＭＰ３、ＭＰＥＧ及びその他の電子媒体ファイルなど市販の媒体を、再生装置の標準出力に接続される互換無線コントローラによって抽出され放送される特殊な制御信号トラックでコード化することができる。このようにして、専用の媒体プレーヤの必要なくマッサージ器がゲーム、ビデオまたはその他視聴される物と同期に行動するようにするために媒体制御信号トラックを送信することができる。１つの代表的実施形態において、マッサージ器が媒体内容と所期の通り同期化するように制御するために、ＭＰＥＧまたはその他のデジタルビデオファイルのコード化された制御信号を、例えばヘッドフォンコネクタまたはその他の出力ポートなどポートを介して無線ＺｉｇＢｅｅ（商標）互換トランスミッタへ出力することができる。
【００８１】
ポケットベル（登録商標）、携帯電話及びその他のポータブルＺｉｇＢｅｅ（商標）互換通信装置を用いて、直接及び（または）既存の国内及び国際通信網を介してマッサージ器を遠隔的に制御する制御信号を生成することができる。さらに、これらの装置がＺｉｇＢｅｅ（商標）互換ではない場合、無線でまたはその他サポートされる方法でポータブル通信装置に接続されてその信号をＺｉｇＢｅｅ（商標）互換フォーマットに変換する二次的装置を使用することができる。
【００８２】
（本発明の代替実施形態）
本発明は特定の図解される実施形態及び代替形態に関して説明されているが、本明細書を読む者には他の実施形態が明らかであろう。充電のための所期の誘電結合が得られる限りベースとマッサージ器の間の他の多様な相対的方角を制限なく利用することができる。さらに、充電ベースに対して相対的なマッサージ器の特定の方角を要求しない誘電結合方法を使用することができる。マッサージ器電源を充電するために容量結合など様々なタイプのエネルギー結合を使用することができる。
【００８３】
マッサージ器１２は、例えばソレノイド、圧電装置、形状記憶合金及び振動その他の運動源を用いる１つまたは複数の様々な運動源を組み込むことができる。これらの運動源によって与えられる運動は振動運動、擦り運動、タッピング運動、波状運動、膨張運動、収縮運動、屈曲運動及び本明細書を読む者には明らかであろうその他の運動を含むことができる。
【００８４】
電池４８及び６８は多くの既知の形式、形態及び（または）形状のうち１つまたはそれ以上をとることができる。遠隔制御装置３０及びマッサージ器１２の一方または両方に複数の電池を使用することができる。非充電式電池を用いて無線制御機能の利点を認識できる。同様に、無線遠隔制御操作なしで充電式電池システムの利点を認識できる。
【００８５】
バイブレータの組立または構成のために様々な方法を使用でき、また、バイブレータの構成に様々なタイプの材料を使用することができる。外側のスキンを、局部的エリアのシリコン、熱可塑性エラストマ（ＴＰＥ）、熱可塑性ウレタン（ＴＰＵ）または触感品質、生体適合性、耐久性及び部品１２Ａ及び１２Ｂの材料に接着する能力など望ましい特性を有するその他の材料など柔らかい材料に取り替えることができる。または全て省略することができる。
【００８６】
マッサージ器１２は、多様な美的及び（または）機能的形状または形体例えば尺度的に大きいまたは小さい形体、様々な輪郭を組み込む形体または身体に装着可能なまたは表面に取付け可能な形体をとることができる。マッサージ器１２は装置のネットワークに情報を提供するために、心拍数センサ、電気皮膚反応（ＧＳＲ）センサまたは本明細書を読む者には明らかなその他のタイプのセンサなどセンサを組み込むことができる。マッサージ器１２は、ＬＥＤ、エレクトロルミネセントパネル、または実用または美的目的のためのその他の付加的照明形式を組み込むことができる。マッサージ器１２は、循環を刺激して身体に積極的な治療効果があると考えられるタイプの磁石など希土類、鉄、電気またはその他のタイプの磁石を組み込むことができる。上述の発熱機能の他に、マッサージ器１２は、１つまたはそれ以上の赤外線エミッタまたはその他の電気または化学的温源を採用することによって加熱機能を組み込むことができる。
【００８７】
他の実施形態において、ユーザーのために様々な美的及び機能的型式のマッサージ器を安価に提供するために、例えばユーザーが取り外して基礎のプラスチック型に被せて取り替えることによって交換可能であるように柔らかいオーバーモールド（被覆成形）スキン１３が成形される。マッサージ器は金属バンド１８など装飾的細部を組み込むことができるし、これを組み込まなくてもよい。
【００８８】
多様な別の形態の遠隔制御装置３０が可能である。例えば、
・   遠隔制御装置は１つまたは複数の様々な電源を組み込むことができる。
・   遠隔制御装置は、音声スピーカ、振動モータまたは異なる照明手段を含めて１つのまたは複数の様々なユーザー対話手段を組み込むことができる。
・   遠隔制御装置の組立てまたは構成のために様々な方法を使用することができる。
・   遠隔制御装置を構成する際様々なタイプの材料を採用することができる。
・   遠隔制御装置はシリコン、ＴＰＥまたはその他のエラストマなど柔らかい材料の外側層または局部エリアの使用を組み込んでも、またはこれを組み込まなくてもよい。
・   遠隔制御装置の様々な美的及び機能的型式を安価で提供するために柔らかいスキンを交換することができる（同じ基礎のプラスチック型を維持しながら）。
・   遠隔制御装置を装着可能な形体例えばブレスレットまたは腕時計の形体と同様の形体にすることができる。
・   本明細書を読む者に明らかな多数の他のこと。
【００８９】
本発明は振動マッサージ器に関して説明されているが、本発明の多くの特徴及び利点は他の個人用装置、特に電子歯ブラシ及びその他の口内衛生装置、Ｔｏｎｅ−Ａ−Ｍａｔｉｃ（商標）システムなど電子筋肉刺激器、電子あんか及び毛布、電子制御リクライニング手術椅子、真空ポンプ及び電気刺激器など非マッサージ性的刺激器、Ｋｏｄｉａｋ  Ｈｅａｌｔｈシステムなど電子針治療装置、マッサージ枕クッション及びパッド及び本明細書を読む者には明らかな装置を含めて（ただし、これに限定されない）人体と直接接する装置に応用可能である。さらに、本発明は電池など内部電源を含む装置に限定されず、本発明の多くの態様が上に説明するような外部動力を受ける装置に応用可能であることが明らかであろう。
【００９０】
このように、新規の改良された振動マッサージ器が提供される。マッサージ器は誘導充電を使用し、心地よい発熱の暖かさを与えながら電池及びコードを取り扱う必要をなくす。シーリング及びスキニングの様々な実施形態は、本発明のマッサージ器を衛生的に安全にしかつ耐水及び耐流体性にする。精巧な制御装置は、直接取り付けユーザー制御装置、遠隔制御装置など無線通信制御装置及び多くの他のプロトコルの互換性を持つ装置、システム及び媒体に応答する能力をマッサージ器に与える。これにかみ合うベースは、安定して美的に心地よくかつ安全に誘導充電のためにマッサージ器を支持する。本発明は、医療分野及び例えば健康装置及び性的装置の分野の個人用器具において応用できる。
【００９１】
本発明は特定の実施形態について図示され、説明されているが、これに限定されない。本発明の範囲内に含まれる多くの修正、変更及び改良が本明細書を読む者には明らかであろう。
【図１】
2015097925.tif 000006
【図２】
2015097925.tif 000007
【図３】
2015097925.tif 000008
【図４】
2015097925.tif 000009
【図５】
2015097925.tif 000010
【図６】
2015097925.tif 000011
【図７】
2015097925.tif 000012
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
個人用マッサージ装置であって、マッサージ器とベースとを備え、
前記マッサージ器は、
外部表面、空洞を定義する内部表面および末端部を有するマッサージ器ハウジングと、
前記個人用マッサージ装置を動作させる第１のモータおよび第２のモータであって、前記第１のモータは前記マッサージ器ハウジング内の一端に配置され、前記第２のモータは前記マッサージ器ハウジング内の他端に配置され、相互に軸をずらして配置される第１のモータおよび第２のモータと、
前記マッサージ器ハウジング内に配置され、前記少なくとも１つの第１のモータに電力を供給する充電式電池と、
を備え、
前記ベースは、ベースハウジングを備え、
前記ベースハウジングは、
前記ベースハウジング内に少なくとも部分的に収容される電源コネクタと、
前記マッサージ器内の前記充電式電池を前記ベースを用いて充電するために前記マッサージ器ハウジングを支持する受け面であって、前記充電式電池は前記受け面を介して前記電源コネクタにエネルギ結合される、受け面と、
前記マッサージ器ハウジングの少なくとも充電領域を被い、人体の部位をマッサージするための滑らかな動作部を提供し、かつ前記ベースハウジングの前記受け面に接触する、可撓性スキンと、
を備えることを特徴とする個人用マッサージ装置。
【請求項２】
前記個人用マッサージ装置は、前記電池に接続され第２カップラにエネルギ結合された第１カップラをさらに備え、前記第２カップラは前記電源コネクタに接続され前記ベースハウジング内に収容される、請求項１に記載の個人用マッサージ装置。
【請求項３】
前記マッサージ器は曲面を備え、前記マッサージ器の前記第１カップラはそれを介して前記ベースの前記第２カップラとエネルギ結合する、請求項２に記載の個人用マッサージ装置。
【請求項４】
前記第１のモータおよび前記第２のモータは前記マッサージ器ハウジングに対して異なる動き特性を提供するよう構成される、請求項１に記載の個人用マッサージ装置。
【請求項５】
前記マッサージ器は、
前記第１のモータに接続されたモータ駆動装置と、
前記モータ駆動装置に接続されたマイクロコントローラと、
をさらに備え、前記マイクロコントローラおよびモータ駆動装置は前記第１のモータをパルス幅変調制御信号で制御するよう構成される、
請求項１に記載の個人用マッサージ装置。
【請求項６】
前記マッサージ器ハウジングは水分に対して密封されている、請求項１に記載の個人用マッサージ装置。
【請求項７】
前記ベースは、充電の際に各々が前記マッサージ器を支持する少なくとも２つの分離した凹みを備える、請求項１に記載の個人用マッサージ装置。